(57)【要約】      （修正有）【課題】自動販売機に扉カバーと本体カバーを取付ける取付け治具を提供する。【解決手段】扉カバー取付け治具は、上係止具と下係止具が上下に連結され、上係止具が扉天井側係止部を備え、下係止具が扉底側係止部を備え、扉底側係止部が扉の底側に係止され、扉天井側係止部が扉の天井側に係止されて扉を挟着保持可能とした。扉カバー取付け補助具は、扉の天井面に係止できる下向きコ字状の扉天井係止部と、扉の開閉側の側壁奥面に係止できる扉奥面係止部と、扉カバーの側面被覆部に係止できるカバー係止部を備え、カバー係止部はいずれもフォーク状に分割し、その分割片の間に扉カバーの側面被覆部を差し込み可能とした。本体カバー取付け治具は、上端に本体の天井面に係止される上係止部を、下端に本体の底面に係止される下係止部を設け、上係止部を天井面に、下係止部を本体の底面に係止し、本体を挟着保持して本体の側面に縦方向に取付け可能とした。【選択図】図１
2011090709.tif 000002
【特許請求の範囲】
【請求項１】
本体と扉を備え、扉の幅方向一端の連結側が本体に連結されて、扉の幅方向他端の開閉側が開閉可能である自動販売機の前記扉の前面に扉カバーを取付けるための扉カバー取付け治具において、
前記扉カバー取付け治具は、上係止具と下係止具が上下に連結され、前記上係止具が扉天井側係止部を備え、前記下係止具が扉底側係止部を備え、扉底側係止部が扉の底側に係止され、扉天井側係止部が扉の天井側に係止されて扉をその底側と天井側から挟着保持可能であることを特徴とする自動販売機用扉カバー取付け治具。
【請求項２】
本体と扉を備え、扉の幅方向一端の連結側が本体に連結されて、扉の幅方向他端の開閉側が開閉可能である自動販売機の前記扉の側面に扉カバーを取付けるための扉カバー取付け補助具において、
前記扉カバー取付け補助具は、扉の天井面に係止できる下向きコ字状の扉天井係止部と、扉の開閉側の側壁奥面に係止できる扉奥面係止部と、扉カバーの側面被覆部に係止できるカバー係止部を備え、カバー係止部はいずれもフォーク状に分割され、その分割片の間に扉カバーの側面被覆部を差し込み可能としたことを特徴とする自動販売機用扉カバー取付け補助具。
【請求項３】
本体と扉を備え、扉の幅方向一端の連結側が本体に連結されて、扉の幅方向他端の開閉側が開閉可能である自動販売機の前記扉の側面に扉カバーを取付けるための扉カバー取付け補助具において、
前記扉カバー取付け補助具は、扉の開閉側の側壁奥面に係止できるコ字状の扉奥面係止部と、扉カバーの側面被覆部に係止できるカバー係止部を備え、カバー係止部はいずれもフォーク状に分割され、その分割片の間に扉カバーの側面被覆部を差し込み可能としたことを特徴とする自動販売機用扉カバー取付け補助具。
【請求項４】
請求項２又は請求項３記載の自動販売機用扉カバー取付け補助具において、分割片のいずれかにカバー係止用ネジ孔が開口され、扉カバーの貫通孔に挿通したネジをそのカバー係止用ネジ孔にねじ込んで、扉カバーを扉カバー補助具に固定可能であることを特徴とする自動販売機用扉カバー取付け補助具。
【請求項５】
本体と扉を備え、扉の幅方向一端の連結側が本体に連結されて、扉の幅方向他端の開閉側が開閉可能である自動販売機の前記本体の側面に本体カバーを取付けるための本体カバー取付け治具において、
前記本体カバー取付け治具は、縦長であり、その上端に本体の天井面に係止される上係止部が、下端に本体の底面に係止される下係止部が設けられ、上係止部を天井面に、下係止部を本体の底面に係止に係止することにより、本体を挟着保持して本体の側面に縦方向に取付け可能であることを特徴とする自動販売機用本体カバー取付け治具。
【請求項６】
本体と扉を備え、扉の幅方向一端の連結側が本体に連結されて、扉の幅方向他端の開閉側が開閉可能である自動販売機の前記本体の側面に本体カバーを取付けるための本体カバー取付け治具において、
本体カバー取付け治具は、自動販売機の本体の底側から天井側まで配置できる長尺の架設具と、本体の天井側に固定される固定具を備え、
前記架設具は本体の底側に係止可能な本体底側係止部と前記固定具を天井側に保持する本体天井側係止部を備え、前記本体底側係止部が本体の底側に係止され、前記本体天井側係止部に保持された固定具が締め付け具により本体の天井側に締め付けられて本体側面に取付けられたものであることを特徴とする自動販売機用本体カバー取付け治具。
【発明の詳細な説明】
【技術分野】
【０００１】
本願発明は飲料用、菓子用、タバコ用といった各種自動販売機の扉前面や本体側面にカバーを取付けるための扉カバー取付け治具と、扉カバー取付け補助具と、本体取付け治具に関するものである。
【背景技術】
【０００２】
従来、自動販売機の扉に取付け可能なフロントカバーがある（特許文献１）。
【先行技術文献】
【特許文献】
【０００３】
【特許文献１】特開２００７−６５７９２号公報
【発明の概要】
【発明が解決しようとする課題】
【０００４】
前記特許文献１記載のフロントカバーは、接着剤や両面テープ等で自動販売機等の扉に直接固着するものであるため、一旦固着したカバーを自動販売機等から取り外すと、接着剤や両面テープの糊が扉の表面に残ってしまい、べたつきや汚れの原因となる。また、接着剤や両面テープによる固着では台風などによる激しい風雨によって不用意に脱落してしまうおそれがある。
【０００５】
本願発明の課題は、前記問題を解決できるカバー付自動販売機と、カバーを手軽に且つ確実に自動販売機に取り付けることのできるカバー取付け治具及び取付け補助具を提供することにある。
【課題を解決するための手段】
【０００６】
本願発明の自動販売機用扉カバー取付け治具は、本体と扉を備え、扉の幅方向一端の連結側が本体に連結されて、扉の幅方向他端の開閉側が開閉可能である自動販売機の前記扉の前面に扉カバーを取付けるための扉カバー取付け治具において、前記扉カバー取付け治具は、上係止具と下係止具が上下に連結され、前記上係止具が扉天井側係止部を備え、前記下係止具が扉底側係止部を備え、扉底側係止部が扉の底側に係止され、扉天井側係止部が扉の天井側に係止されて扉をその底側と天井側から挟着保持可能とした。
【０００７】
本願発明の自動販売機用扉カバー取付け補助具は、本体と扉を備え、扉の幅方向一端の連結側が本体に連結されて、扉の幅方向他端の開閉側が開閉可能である自動販売機の前記扉の側面に扉カバーを取付けるための扉カバー取付け補助具において、前記扉カバー取付け補助具は、扉の天井面に係止できる下向きコ字状の扉天井係止部と、扉の開閉側の側壁奥面に係止できる扉奥面係止部と、扉カバーの側面被覆部に係止できるカバー係止部を備え、カバー係止部はいずれもフォーク状に分割され、その分割片の間に扉カバーの側面被覆部を差し込み可能とした。
【０００８】
本願発明の自動販売機用扉カバー取付け補助具は、扉の開閉側の側壁奥面に係止できるコ字状の扉奥面係止部と、扉カバーの側面被覆部に係止できるカバー係止部を備え、カバー係止部はいずれもフォーク状に分割され、その分割片の間に扉カバーの側面被覆部を差し込み可能とした。
【０００９】
自動販売機用扉カバー取付け補助具は、分割片のいずれかにカバー係止用ネジ孔が開口され、扉カバーの貫通孔に挿通したネジをそのカバー係止用ネジ孔にねじ込んで、扉カバーを扉カバー補助具に固定可能とした。
【００１０】
自動販売機用本体カバー取付け治具は、本体と扉を備え、扉の幅方向一端の連結側が本体に連結されて、扉の幅方向他端の開閉側が開閉可能である自動販売機の前記本体の側面に本体カバーを取付けるための本体カバー取付け治具において、前記本体カバー取付け治具は、縦長であり、その上端に本体の天井面に係止される上係止部が、下端に本体の底面に係止される下係止部が設けられ、上係止部を天井面に、下係止部を本体の底面に係止に係止することにより、本体を挟着保持して本体の側面に縦方向に取付け可能とした。
【００１１】
自動販売機用本体カバー取付け治具は、本体と扉を備え、扉の幅方向一端の連結側が本体に連結されて、扉の幅方向他端の開閉側が開閉可能である自動販売機の前記本体の側面に本体カバーを取付けるための本体カバー取付け治具において、本体カバー取付け治具は、自動販売機の本体の底側から天井側まで配置できる長尺の架設具と、本体の天井側に固定される固定具を備え、前記架設具は本体の底側に係止可能な本体底側係止部と前記固定具を天井側に保持する本体天井側係止部を備え、前記本体底側係止部が本体の底側に係止され、前記本体天井側係止部に保持された固定具が締め付け具により本体の天井側に締め付けられて本体側面に取付けた。
【発明の効果】
【００１２】
本願発明のカバー付自動販売機は次のような効果がある。
（１）扉カバーも本体カバーも、自動販売機に固定された取付け治具に取り付けられているので、接着剤や両面テープの糊が扉前面に残る事がなく、べたつきや汚れの原因ともならない。また、カバーの取外し、交換が容易になるため、破損したカバーの交換は勿論、各種デザインのカバーの付け替えも容易にできる。
（２）自動販売機の扉に扉カバーを、自動販売機の本体に本体カバーを取り付けることにより扉や本体を保護する事が出来る。また、扉や本体自体にデザインが施されていなくても、各種デザインが施されているカバーを取り付けることにより、自動販売機のデザインを手軽に変える事が出来る。また、カバーを取り付けることにより扉や本体の汚れを隠して新たな様相にすることもできる。
（３）扉カバー、本体カバーが取付けられているので、扉、本体の補強にもなる。
（４）カバーが扉用と、本体用に分かれているので、扉を開閉するときに、カバーを外す必要が無く、自動販売機内への商品の入れ替えを従来どおりスムーズに行うことができる。
【００１３】
本願発明の扉カバー取付け治具は次のような効果がある。
（１）扉に穴をあけたりすることなく（加工することなく）そのまま取付け可能であるため、扉への取付けが手軽に出来る。
（２）扉カバーをネジ止めにより扉カバー取付け治具に取り付けることができるため、取付けが確実且つ強固になり強風でも外れにくくなる。
（３）扉カバー取付け治具の下係止具と上係止具が別体の場合は、下係止具を扉の底側に、上係止具を扉の天井側に係止して、下係止具と上係止具を連結するだけで、扉カバー取付け治具を扉に固定できるため扉への取付けが容易である。
（４）扉カバー取付け治具の下係止具と上係止具が連結されている場合は、下係止具を扉の底側に、上係止具を扉の天井側に係止して、下係止具と上係止具の間の間隔を狭くするだけで扉カバー取付け治具を扉に固定できるため扉への取付けが容易である。
（５）構造が簡潔であるため製作容易であり、扉への取付けも容易である。
（６）上連結部と下連結部との間隔を調節可能な間隔調節具を設けたので、間隔調節が容易であり、扉の挟着保持操作が容易である。
（７）上連結部と下連結部の連結箇所に、下係止具と上係止具の一方又は双方を引いて前記間隔を広げると圧縮されて復元力が蓄勢され、前記引きが解放されると前記復元力で前記間隔が狭くなる弾性体を配置したので、扉の挟着保持が確実かつ強固になる。
（８）上連結部と下連結部に両者の間隔調節時に互いに接近又は離れる上連結部と下連結部をガイドする案内具を設けたので、間隔調節時の上連結部と下連結部のスライドが円滑になり、扉の挟着保持操作が容易になる。
【００１４】
本願発明の本体カバー取付け治具は次のような効果がある。
（１）本体に穴をあけたりすることなく（加工することなく）そのまま取付け可能であるため、本体への取付けが手軽に出来る。
（２）本体カバーをネジ止めによって本体カバー取付け治具に取り付けることができるため、取付けが確実且つ強固になり強風でも外れにくくなる。
（３）本体バー取付け治具の本体底側係止部を本体の底側に、本体天井側係止部を扉の天井側に係止して、本体底側係止部又は本体天井側係止部を締付け操作することにより本体カバー取付け治具を本体に固定できるため本体への取付けが容易である。
（４）構造が簡潔であるため製作容易であり、本体への取付けも容易である。
【００１５】
本願発明の扉カバー取付け補助具は次のような効果がある。
（１）扉係止部を扉に、カバー係止部を扉カバーに取付ければ、扉カバーを扉に取り付けることができるので、扉カバーの取付けが容易である。
（２）扉カバーを取付ければ、扉カバーの補強にもなる。
（３）扉カバーの取付けが確実且つ強固になるため強風でも外れにくくなる。
（４）構造が簡潔であるため製作容易であり、扉カバーへの取付けも容易である。
【図面の簡単な説明】
【００１６】
【図１】扉に扉カバーを取り付けた状態を示す正面図。
【図２】本願発明のカバー取付け治具によって取付け可能なカバーの一例を示す背面斜視図。
【図３】扉に本願発明の扉カバー取付け治具を取り付けた状態を示す正面図。
【図４】扉に扉カバー取付け治具を固定した状態を示す斜視説明図。
【図５】本願発明の本体カバー取付け治具によって本体カバーを取り付ける場合の一例を示す分解説明図。
【図６】下係止具と上係止具を連結した状態を示す斜視図であって、（ａ）は連結ネジ締付け前の状態を示すもの、（ｂ）は連結ネジ締付け後の状態を示すもの。
【図７】下係止具の実施形態の一例を示すものであって、（ａ）はその右上方側面斜視図、（ｂ）はその左下方側面斜視図。
【図８】上係止具の実施形態の一例を示すものであって、（ａ）はその前面斜視図、（ｂ）はその背面斜視図。
【図９】扉の側面に扉カバー補助具を取り付けた状態を示す斜視図。
【図１０】扉カバー補助具の実施形態の一例を示す斜視図であって、（ａ）は扉天井係止部を備えるもの、（ｂ）は扉天井係止部を備えないもの。
【図１１】本体カバー取付け治具の実施形態の一例を示す分解斜視図。
【図１２】本体カバー取付け治具の実施形態の一例を示す斜視図であって、（ａ）はボルト締付け前の状態を示すもの、（ｂ）はボルト締付け後の状態を示すもの。
【図１３】一本の連結ネジを用いて下係止具と上係止具とを連結した場合の扉カバー取付け治具の一例を示すものであって、（ａ）は右上方斜視図、（ｂ）はその部分拡大分解図。
【図１４】一本の連結ネジを用いて下係止具と上係止具とを連結した場合の扉カバー取付け治具の一例を示すものであって、（ａ）は右側方断面図、（ｂ）は背面図。
【図１５】ガイドボルトを用いて下係止具と上係止具とを連結した場合の扉カバー取付け治具の一例を示すものであって、（ａ）は右上方斜視図、（ｂ）はその部分拡大分解図。
【図１６】ガイドボルトを用いて下係止具と上係止具とを連結した場合の扉カバー取付け治具の一例を示すものであって、（ａ）は右側方断面図、（ｂ）は背面図。
【図１７】二本の固定ネジを用いて下係止具と上係止具とを一体にした場合の一例を示すものであって、（ａ）は右上方斜視図、（ｂ）はその部分拡大分解図。
【図１８】二本の固定ネジを用いて下係止具と上係止具とを一体にした場合の一例を示すものであって、（ａ）は右側方断面図、（ｂ）は背面図。
【図１９】一本の固定ネジを用いて下係止具と上係止具とを一体にした場合の一例を示すものであって、（ａ）は右上方斜視図、（ｂ）はその部分拡大分解図。
【図２０】一本の固定ネジを用いて下係止具と上係止具とを一体にした場合の一例を示すものであって、（ａ）は右側方断面図、（ｂ）は背面図。
【図２１】一本のネジを用いて下係止具と上係止具とを一体にした場合の一例を示すものであって、（ａ）は右上方斜視図、（ｂ）はその部分拡大分解図。
【図２２】一本のネジを用いて下係止具と上係止具とを一体にした場合の一例を示すものであって、（ａ）は右側方断面図、（ｂ）は背面図。
【発明を実施するための形態】
【００１７】
（扉カバー付自動販売機の実施形態）
本願発明のカバー付自動販売機の第１の実施形態について、図面を参照して説明する。この実施形態は図２に示す扉カバーＣを、図４に示す自動販売機の本体Ａに片開きで開閉可能に取付けられている扉Ｂの前面に図１のように被せて取付けたものであり、その取付けに図６に示す扉カバー取付け治具１と、図９、図１０に示す扉カバー補助具２０を用いた場合の例である。
【００１８】
図３に示す自動販売機は本体Ａとその本体Ａに取り付けられた扉Ｂとから構成されるものであり、本体Ａと扉Ｂとを連結する左側のヒンジ部（兆番部分）を軸として扉Ｂが手前側に開くものである。自動販売機は盗難防止のためにヒンジ部の外側側面に金属製のプロテクタ（通常は縦長帯状）が取り付けられ、扉Ｂを前面から外すことができないようにしてある。
【００１９】
図２に示す扉カバーＣは扉Ｂの前面に被せることができるサイズの大きさであり、扉カバーＣの上部に扉Ｂの天井面Ｄ（図４）の上に被せることのできる天井被覆部Ｋ、両側面に扉Ｂの両側面の外側に被せることのできるに側面被覆部Ｌ、Ｍが設けられている。扉カバーＣの下部Ｎは下方に開口する開放状態にして本体Ａの排熱部Ｊ（図３）が被覆されないようにしてある。扉カバーＣの表面のうち、図１に示す本体Ａの商品展示窓Ｏ、釣銭取出し口Ｐ、コイン投入部やカード翳し部等の精算部Ｑ、商品取り出し口Ｒ、広告表示部Ｔ、施錠部Ｕに相当する箇所は開口されており、それら開口部から夫々の箇所が見え且つ夫々の箇所を扉カバーＣの前面外側から操作できるようにしてある。扉カバーＣの側面被覆部Ｌ、Ｍ（図２）には任意数の貫通孔Ｆが開口されている。扉カバーＣ（図２）及び本体カバーＳ（図５）は樹脂製、アルミ製、鉄や銅といった金属製、ステンレス等の合金製とすることができる。
【００２０】
扉カバーＣを扉Ｂに取り付けるには、図６に示す扉カバー取付け治具１を図４に示すように扉Ｂの幅方向一方（図４の左側）に固定し、その扉カバー取付け治具１の外（手前）から扉Ｂに扉カバーＣを被せて、扉カバーＣの天井被覆部Ｋ（図２）を図４に示す扉Ｂの天井面Ｄの上に、側面被覆部Ｌ、Ｍ（図２）を扉Ｂの両側面の外側に被せ、扉カバーＣの左側の側面被覆部Ｌを扉カバー取付け治具１に螺子止めし、扉カバーＣの右側の側面被覆部Ｍ（図２）を、図９のように扉Ｂに係止した扉カバー補助具２０に螺子止めする。
【００２１】
（扉カバー取付け治具の実施例：図１〜図８）
扉カバー取付け治具の実施例を図６〜図８を参照して説明する。この扉カバー取付け治具１は、自動販売機の扉Ｂの底面に係止する下係止具２と扉Ｂの天井面Ｄに係止する上係止具３を備えている。下係止具２は図７（ａ）、（ｂ）に示す構成であり、扉Ｂ（図４）の高さより少し短い細長部材であり、扉Ｂの表面に当接する当接部４の幅方向両端に側壁５ａ、５ｂが形成された断面視略コ字状であり、当接部４の下端背面側に上向きコ字状のフック（扉底側係止部）６と上連結部１７とを備えている。上連結部１７は上端表面側に設けられたＬ字状の上板部７とガイド部８とから構成される。側壁５ａ、５ｂのうち、蓋Ｂに被せた場合に外側に位置する側壁（例えば側壁５ａ）にはカバー係止用ネジ孔５ｃが縦方向に間隔を開けて４つ設けられており、そのカバー係止用ネジ孔５ｃに扉カバーＣ（図２）の側面被覆部Ｌの貫通孔ＦからネジＧ（図４）をねじ込んで螺子止めできるようにしてある。上板部７（図７（ａ）、（ｂ））にはネジ孔９が形成され、そのネジ孔９に図８の上係止具３を図６のように螺子止めできるようにしてある。
【００２２】
前記上係止具３は、図８に示すように、扉天井側係止部１１と、扉天井側係止部１１から下向きに折り曲げられた支持部１２と、支持部１２の幅方向両側縁から前方に立ち上げられた支持側壁１２ａ、１２ｂと、下連結部１６を備えている。図８に示す下連結部１６は、支持部１２の下縁から立ち上げられた支持下板１２ｃとその支持下板１２ｃの端部から下向きに形成されたガイド部１２ｄとから構成される。前記扉天井側係止部１１の支持部１２と反対側には、下向きの係止片１３を設けて、図４のように扉Ｂの天井面Ｄに係止できるようにしてあり、支持部１２は図３のように扉天井側係止部１１を扉Ｂの天井面Ｄに被せて支持部１２の背面を扉Ｂの前面に宛がい、係止片１３を扉Ｂの後面の外側に宛がうと、扉Ｂの前面に接して上係止具３が安定するようにしてある。前記支持側壁１２ａ、１２ｂ、ガイド部１２ｄは、その外側に被せた扉カバーＣの内面に当接して扉カバーＣを支持するものである。下方の支持下板１２ｃには貫通孔１４が開口されて、下係止具２と上係止具３とを連結する連結ネジ１５（図６（ａ）、（ｂ））を挿通できるようにしてある。
【００２３】
（扉カバー補助具の実施例：図９、図１０）
図９の扉カバー補助具２０は扉カバーＣ（図１）の右側を扉Ｂの右側（開閉側）に取り付けるためのものであり、それには２種類あり、その一つは図１０（ａ）に示すものであり、図９のように扉Ｂの天井面Ｄに係止できる下向きコ字状の扉天井係止部２６と、扉Ｂの開閉側の側壁奥面に係止できるＬ字状の扉奥面係止部２２と、扉カバーＣの側面被覆部Ｍ（図２）に係止できるカバー係止部２３を設けてある。他の一つは図１０（ｂ）に示すものであり、図９のように扉Ｂの開閉側の側壁奥面に係止できるコ字状の扉奥面係止部２２と、扉カバーＣの側面被覆部Ｍ（図２）に係止できるカバー係止部２３を設けて、図９のように扉Ｂに取り付けることができるようにしてある。扉カバー補助具２０のカバー係止部２３はいずれもフォーク状に３片に分割され、その分割片の間に扉カバーＣの側面被覆部Ｍを差し込めるようにしてある。３つの分割片のうち中央の分割片にはカバー係止用ネジ孔２４が設けられ、図４のように扉カバーＣの貫通孔Ｆに挿通したネジＧを前記カバー係止用ネジ孔にねじ込んで、扉カバーＣが扉カバー補助具２０を介して扉Ｂに固定できるようにしてある。
【００２４】
扉カバー取付け治具１（図６）及び扉カバー補助具２０（図１０）は各種金属や合金製、強度に優れた樹脂製とすることができるが、防錆、加工の容易さ等の観点からステンレス製とすることが好ましい。それらの形状、サイズ等は取り付ける自動販売機の扉Ｂの形状、サイズ等に応じて設計することができる。
【００２５】
（扉カバーの取付け例１）
自動販売機の扉Ｂに扉カバーＣを取り付けるには例えば次のようにする。
（１）図４のように、扉カバー取付け治具１（図６）の下係止具２の扉底側係止部６を扉Ｂの幅方向連結側の底面に係止する。
（２）図４のように、扉カバー取付け治具１（図６）の上係止具３の扉天井側係止部１１を扉Ｂの天井面Ｄに係止する。
（３）図６のように、前記下係止具２のガイド部８の外側に、上係止具３のガイド部１２ｄを対向配置して、対向する下係止具２の上板部７と上係止具３の支持下板１２ｃとの間に間隔（空間）Ｗを設け、上係止具３の貫通孔１４に差し込んだ連結ネジ１５を下係止具２の上板部７のネジ孔９までねじ込んで両者を接近させて前記空間Ｗを狭くし、下係止具２と上係止具３を連結する。これにより、図６（ａ）、（ｂ）に示すように下係止具２が上係止具３側に引き上げられて下係止具２の扉底側係止部６が扉Ｂの底面に強く係止され、上係止具３の扉天井側係止部１１が扉Ｂの天井面Ｄに圧接されて扉Ｂの底面と天井面Ｄを挟持して扉Ｂに固定される。
（４）図４のように、扉カバーＣを扉カバー取付け治具１の外側から扉Ｂに被せて扉カバーＣの左側の側面被覆部Ｌに形成された貫通孔Ｆ（図２）と下係止具２のカバー係止用ネジ孔５ｃを位置合わせし、ネジＧによって扉カバーＣを下係止具２に固定する。
（５）図９のように、扉Ｂの開閉側側面Ｅに扉カバー補助具２０を係止し、その扉カバーＣの右側の側面被覆部Ｍ（図２）に形成された貫通孔Ｆと扉カバー補助具２０のカバー係止用ネジ孔２４を位置合わせし、ネジＧ（図４）によって扉カバーＣを下係止具２に固定する。
【００２６】
前記取付け例では、扉Ｂの幅方向一端側に扉カバー取付け治具１を固定し、幅方向反対側に扉カバー補助具２０を固定した場合を一例として説明したが、扉Ｂの幅方向両端側に扉カバー取付け治具１を固定し、それらに扉カバーＣを被せて螺子止めすることもできる。扉カバーＣの開閉側に扉カバー補助具２０を使用せずに直接螺子止めすることもできる。
【００２７】
（本体カバー付自動販売機の実施形態）
本願発明では図５のように自動販売機の本体に本体カバーＳを取り付ける場合であり、本体カバー取付け治具４０を使用して自動販売機の本体Ａの側面Ｈに取り付ける場合の一例である。本体カバーＳは縦長長方形で、本体Ａの側面Ｈの全面をカバーできるサイズの平板の四周を内側に曲げて周縁被覆部Ｖ（図５）が形成され、その周縁被覆部Ｖを本体Ａの側面Ｈに被せることができるようにしてある。
【００２８】
（本体カバー取付け治具の実施例）
本体カバー取付け治具４０は図５のように本体Ａの側面Ｈに縦向きに取付け可能なものであり、図１１に示すように本体Ａの側面Ｈ（図５）に固定する架設具４１とその架設具４１を側面Ｈに固定する固定具４２とから構成される。架設具４１は自動販売機の本体Ａの側面Ｈ（図５）の底面と天井面Ｄに係止可能な長さの縦長部材であり、本体カバーＳ（図５）の内面に当接するカバー当接部４１ａ（図１１）と、カバー当接部４１ａの幅方向両端側から立ち上げた側壁４１ｂ、４１ｃとから構成される。側壁４１ｂ、４１ｃのうち前記側面Ｈに固定した際に外側に位置する側の側壁（例えば、側壁４１ｂ）にはその長手方向に沿ってネジ孔４３が等間隔で４つ開口され、ネジＧ（図５）で本体カバーＳを固定できるようにしてある。ネジ孔４３の間隔や個数は任意に設定することができる。
【００２９】
架設具４１（図１１）の下端には、本体Ａの側面Ｈの底側に係止可能な本体底側係止部４４が、上端には、本体天井側に係止可能な本体天井側係止部４５が形成されている。本体底側係止部４４と本体天井側係止部４５は本体から同じ方向（図１１の右方向）に突設されている。本体底側係止部４４の上面には滑り止め用の架設補助材４４ａが取り付けてられている。架設補助材４４ａはエラストマー樹脂製のものであるが、これ以外の樹脂製のものであってもよい。また、樹脂製のものに変えて、磁石等他の滑り止め手段（固定手段）を利用することもできる。本体天井側係止部４５は当て板４５ａの幅方向両側方から下向きに側壁４５ｂ、４５ｃを突設して、当て板４５ａと側壁４５ｂ、４５ｃの間に収容空間Ｘを設けて、その収容空間Ｘの内側に固定具４２を配置できるようにしてある。当て板４５ａにはその肉厚方向に貫通するネジ孔４６が形成され、架設具４１と固定具４２とを連結するボルト４９を螺合できるようにしてある。
【００３０】
前記固定具４２は、図１１に示すように薄板４７の上面にネジ切りした筒状のボルト受部４８（雌ネジ）が固定されたものであり、薄板４７の底面側には固定具補助材４２ａが取り付けられている。固定具補助材４２ａは、架設補助材４４ａと同様のエラストマー樹脂製としてある。固定具補助材４２ａはこれ以外の樹脂製のものや磁石等であってもよい。
【００３１】
（本体カバーの取付け例）
図５のように、自動販売機の本体Ａの側面Ｈに本体カバーＳを取り付けるには次のようにする。
（１）図５のように、本体カバー取付け治具４０の架設具４１の本体底側係止部４４を本体Ａの側面Ｈの幅方向端部側（図５の扉Ｂ側）の底面に係止し、本体天井側係止部４５を本体天井側に係止する。
（２）図１２（ａ）のように、本体天井側係止部４５に設けられた収容空間Ｘの内側に固定具４２を配置する。
（３）図１２（ｂ）のように、当て板４５ａに設けられたネジ孔４６にその上方からボルト４９を挿入して固定具４２のボルト受部４８にねじ込んで固定具４２を本体Ａの側面Ｈの天井面Ｄに圧接する。これにより、図１２（ｂ）に示すように架設具４１と固定具４２が固定され、本体カバー取付け治具４０が本体Ａの側面Ｈに固定される。
（４）前記（１）〜（３）を繰り返して本体Ａの側面Ｈの幅方向反対側（図５の本体背面側）にも本体カバー取付け治具４０を取り付ける。
（５）図５のように、本体Ａの側面Ｈの幅方向両端側に本体カバー取付け治具４０を取り付けた状態で、本体カバーＳを二本の本体カバー取付け治具４０の外側から側面Ｈに被せて、架設具４１のネジ孔４３と本体カバーＳの周縁被覆部Ｖに形成された貫通孔Ｆとを位置合わせし、ネジＧによって本体カバーＳを本体カバー取付け治具４０に固定する。同様の要領で、本体Ａの反対側の側面Ｈにも本体カバーＳを取り付ける。
【００３２】
図示した本体カバーＳの外面には装飾が施されていないが、外面に所望の文字、図形、記号等を表示することもできる。また、商品（例えば、飲料、食物、たばこ等）の広告を表示する広告表示面として利用することもできる。
【００３３】
本願発明のカバー付自動販売機は、扉Ｂに扉カバーＣを、本体Ａに本体カバーＳを取り付けたものとすることができるが、扉Ｂに扉カバーＣだけを取付けたものとすることもできる。扉Ｂへの扉カバーＣの取付けには前記扉カバー取付け治具１、扉カバー補助具２０以外の形状、構造のものを使用することもできる。本体カバー取付け治具４０にも他の形状、構造のものを用いることができる。
【００３４】
（扉カバー取付け治具の他の実施例：図１３、１４）
図１３（ａ）、（ｂ）及び図１４（ａ）、（ｂ）に示す扉カバー取付け治具１は、下係止具２と上係止具３を備えることにおいては前記した扉カバー取付け治具１と同じである。異なるのは下係止具２と上係止具３の間に一本のコイル状のバネ５０（弾性体）を挟んで両係止具２、３を連結したことであり、バネ５０は通常時は伸張状態にあり、上下に連結された下係止具２と上係止具３の間の間隔を調節することにより、下係止具２の扉底側係止部６と上係止具３の扉天井側係止部１１の距離（長さ）を調節できるようにしてある。
【００３５】
図１３（ａ）、（ｂ）及び図１４（ａ）、（ｂ）に示す扉カバー取付け治具１の上係止具３は、図８に示す上係止具３と同様の構成の扉天井側係止部１１、支持部１２、支持側壁１２ａ、１２ｂ、係止片１３、及び下連結部１６を備えている。下連結部１６は支持部１２の下端から外向き（扉Ｂと反対方向）に折り返された支持下板１２ｃと、支持下板１２ｃの下方に突設されたガイド部１２ｄと、ガイド部１２ｄの幅方向両側から支持側壁１２ａ、１２ｂと反対方向（図１３（ａ）の扉Ｂ側）にコ字状に折り返された側方ガイド部１２ｅ、１２ｆとから構成される。前記支持下板１２ｃには連結ネジ１５を挿通可能な貫通孔１４が形成されている。前記ガイド部１２ｄは支持下板１２ｃの横幅の半分程度の幅であり、支持側壁１２ａ寄りに設けられている。このガイド部１２ｄ内には下係止具２のガイド部８（図１４（ａ）、（ｂ））を収容配置できるようにしてある。前記支持下板１２ｃの裏面には前記バネ５０の上端を収容固定するための筒状の上側バネ受け５１（図１４（ａ）、（ｂ））が溶接により固定されている。
【００３６】
図１３（ａ）、（ｂ）及び図１４（ａ）、（ｂ）に示す下係止具２は、図７（ａ）、（ｂ）に示す下係止具２と同様の構成であり、当接部４、側壁５ａ、５ｂ、扉底側係止部６、上連結部１７を備えている。上連結部１７は上板部７（図１４（ａ）、（ｂ））とガイド部８とから構成されている。一方の側壁５ａにはカバー係止用ネジ孔５ｃが開口されている。上板部７には連結ネジ１５を挿通可能な貫通孔１０が形成され、上板部７の内面（図１４では上面）には前記バネ５０の下端を収容固定するための筒状の下側バネ受け５２（図１４（ａ）、（ｂ））が溶接により固定され、上板部７の外面（図１４では下面）にはナット５３が溶接により固定されている。このナット５３は連結ネジ１５をネジ込むためのものである。
【００３７】
前記下係止具２と上係止具３は、図１３（ａ）、（ｂ）及び図１４（ａ）、（ｂ）のように、下係止具２のガイド部８が上係止具３のガイド部１２ｄの内側に配置されて上下に対向配置され、その状態で連結ネジ１５を上係止具３の貫通孔１４（図１３（ａ）、（ｂ））からコイル状のばね５０内を貫通して下係止具２に固定されたナット５３までネジ込んで連結されている。連結ネジ１５を締め付けることにより、下係止具２が上係止具３側に引き上げられて下係止具２の扉底側係止部６と上係止具３の扉天井側係止部１１の距離（長さ）が短くなるようにしてある。
【００３８】
（図１３、図１４に示す扉カバー取付け治具の扉への取付け）
図１３（ａ）、（ｂ）及び図１４（ａ）、（ｂ）に示す扉カバー取付け治具１を自動販売機の扉Ｂに取り付けるには、連結ネジ１５の締付けを緩めて下係止具２の扉底側係止部６と上係止具３の扉天井側係止部１１の距離（長さ）を扉Ｂの底面から天井面Ｄまでの長さよりも長くしておき、その下係止具２の扉底側係止部６を扉Ｂの底面に係止し、上係止具３の扉天井側係止部１１を扉Ｂの天井面Ｄに係止する。この状態で連結ネジ１５を締付けて下係止具２を上係止具３側に引き上げ、前記扉底側係止部６と扉天井側係止部１１の距離（長さ）を扉Ｂの底面から天候上面までの長さよりも短くして、扉底側係止部６と扉天井側係止部１１により扉Ｂを挟着して扉Ｂに扉カバー取付け治具１を取り付ける。
【００３９】
（扉カバー取付け治具の他の実施例：図１５、図１６）
図１５（ａ）、（ｂ）及び図１６（ａ）、（ｂ）に示す扉カバー取付け治具１は、下係止具２と上係止具３とを上下に配置し、その下係止具２と上係止具３に一本のガイドボルト５４を通し、ガイドボルト５４の外周に二本のコイル状のバネ５０ａ、５０ｂ（弾性体）を被せたものであり、通常時は上係止具３と下係止具２が接近して両者の間の空間Ｗが狭くなって、下係止具２の扉底側係止部６と上係止具３の扉天井側係止部１１の距離（長さ）が、扉Ｂの底面から天井面Ｄまでの長さよりも短くなるようにしてある。
【００４０】
図１５（ａ）、（ｂ）及び図１６（ａ）、（ｂ）に示す上係止具３は、図８に示す上係止具３と同様の構成の扉天井側係止部１１、支持部１２、支持側壁１２ａ、１２ｂ、係止片１３、及び下連結部１６を備えている。下連結部１６は支持下板１２ｃと、支持下板１２ｃの下方に突設されたガイド部１２ｄと、ガイド部１２ｄの幅方向両側に支持側壁１２ａ、１２ｂと反対方向（図１５（ａ）の扉Ｂ側）にコ字状に折り返された側方ガイド部１２ｅ、１２ｆと、ガイド部１２ｄの下端側に支持側壁１２ａ、１２ｂと反対方向（図１５（ａ）の扉Ｂ側）にコ字状に折り返された下板１２ｇとから構成される。図１６（ａ）に示すように前記支持下板１２ｃにはガイドボルト５４を挿通可能な貫通孔１４が形成され、支持下板１２ｃの上面で貫通孔１４の外周に上バネ５０ａの下端部を収容配置可能な円筒状の上バネ受け部５７が溶接固定されている。前記ガイド部１２ｄは支持下板１２ｃの横幅の半分程度の幅であり、支持側壁１２ａ寄りに設けられている。ガイド部１２ｄ内には下係止具２のガイド部８（図１６（ａ）、（ｂ））を収容配置できるようにしてある。前記下板１２ｇには、挿通孔５６が形成され、下板１２ｇの上面で挿通孔５６の外周に、前記下バネ５０ｂの下端を収容固定するための筒状の下バネ下側受け具５８（図１６（ａ）、（ｂ））が溶接により固定されている。
【００４１】
図１５、図１６に示す下係止具２は図７（ａ）、（ｂ）に示す下係止具２と同様の構成であり、当接部４、側壁５ａ、５ｂ、扉底側係止部６、上連結部１７（図１６（ａ））を備えている。上連結部１７は上板部７と、ガイド部８と、ガイド部８の幅方向両端から扉Ｂ側に折り返されたガイド側壁８ａ、８ｂとから構成されている。前記側壁５ａの一方にはカバー係止用ネジ孔５ｃが開口されている。上板部７にはガイドボルト５４を挿通可能な貫通孔５９が形成され、上板部７の裏面（図１６（ａ））には、前記下バネ５０ｂの上端を収容固定するための筒状の下バネ上側受け具６０（図１４（ａ）、（ｂ））が溶接により固定されている。
【００４２】
前記下係止具２と上係止具３は図１５（ａ）、（ｂ）及び図１６（ａ）、（ｂ）のように、下係止具２のガイド部８及びガイド側壁８ａ、８ｂが上係止具３のガイド部１２ｄ及び側方ガイド部１２ｅ、１２ｆの内側に配置されて上下に対向配置され、上バネ５０ａの下端が上バネ受け具５７（図１６（ａ）、（ｂ））に収容され、下バネ５０ｂの下端が下バネ下側受け具５８（図１６（ａ）、（ｂ））内に収容配置され、下バネ５０ｂの上端が下バネ上側受け具６０（図１６（ａ）、（ｂ））内に収容配置されている。更に、ガイドボルト５４が上係止具３の貫通孔１４（図１５（ａ）、（ｂ））から上バネ５０ａ及び下バネ５０ｂ内を貫通して、上係止具３の下板１２ｇの下方まで突出している。ガイドボルト５４は長尺ボルトであり、その下端側にネジ部５４ａが設けられている。ガイドボルト５４は、その中間部が上板部７に溶接固定され、下板１２ｇの下方に突出したネジ部５４ａが固定ナット５５に固定されている。下係止具２と上係止具３を連結した扉カバー取付け治具１の全長（下係止具２の扉底側係止部６と上係止具３の扉天井側係止部１１の間隔）は、扉Ｂの高さよりも多少短く（狭く）してある。上係止具３を図１６（ａ）の上方に引上げると下係止具２の扉底側係止部６と上係止具３の扉天井側係止部１１との間隔が広くなる。このとき、両バネ５０ａ、５０ｂが圧縮されて復元力（伸び力）が蓄勢される。上係止具３の引っ張りを解除することによって上バネ５０ａ及び下バネ５０ｂの前記復元力によって上係止具３が引き下げられて元の位置まで復帰し、扉天井側係止部１１と扉底側係止部６の間隔が上係止具３を上方に引っ張る前の間隔に戻る。
【００４３】
（図１５、図１６に示す扉カバー取付け治具の扉への取付け）
図１５（ａ）、（ｂ）及び図１６（ａ）、（ｂ）に示す扉カバー取付け治具１を自動販売機の扉Ｂに取り付けるには、下係止具２の扉底側係止部６を扉Ｂの底面に係止してから上係止具３を上方に引上げて、下係止具２と上係止具３の部空間Ｗを上下方向に広げる。このとき、上バネ５０ａ、下バネ５０ｂは圧縮されて復元力（伸び力）が蓄勢される。この引上げにより、扉カバー取付け治具１の全長（下係止具２の扉底側係止部６と上係止具３の扉天井側係止部１１の距離）を扉Ｂの高さ（寸法）よりも長くし、上係止具３の扉天井側係止部１１を天井面Ｄに係止する。この上係止具３の係止後、上係止具３の引上げを解放すると、下バネ５０ａと上バネ５０ｂが復元して（伸びて）上係止具３が図１６（ａ）の下方に押し下げられて、下係止具２の扉底側係止部６と上係止具３の扉天井側係止部１１の距離（長さ）が短くなって、扉カバー取付け治具１が扉Ｂの底面と天井面を上下に挟着して扉Ｂに扉カバー取付け治具１を取付けられる（固定される）。
【００４４】
（扉カバー取付け治具の他の実施例：図１７、図１８）
図１７（ａ）、（ｂ）及び図１８（ａ）、（ｂ）に示す扉カバー取付け治具１は、扉カバー取付け治具１の両側から挿入した固定ネジ６１をナット（固定具）６４にねじ込んで締め付けることにより下係止具２と上係止具３とを連結し、固定ネジ６１の締付けを緩めることにより下係止具２と上係止具３を上下にスライド可能としたものである。
【００４５】
前記上係止具３は、図８に示す上係止具３と同様の扉天井側係止部１１、支持部１２、支持側壁１２ａ、１２ｂ、係止片１３、及び下連結部１６を備えている。下連結部１６は支持下板１２ｃ、支持下板１２ｃの下方に突設されたガイド部１２ｄ、及びガイド部１２ｄの幅方向両側に支持側壁１２ａ、１２ｂと反対方向（図１５（ａ）の扉Ｂ側）にコ字状に折り返された側方ガイド部１２ｅ、１２ｆとから構成される。前記ガイド部１２ｄは支持下板１２ｃの横幅の半分程度の幅であり、一方の支持側壁１２ａ寄りに設けられている。ガイド部１２ｄの幅方向両側には前記支持側壁１２ａ、１２ｂと反対方向（図１７の扉Ｂ側）にコ字状に折り曲げられた側方ガイド部１２ｅ、１２ｆ（図１８（ａ）、（ｂ））が形成されている。前記両側方ガイド部１２ｅ、１２ｆには縦長のスライド孔（長孔）６２が形成されている。
【００４６】
前記下係止具２は、図７に示す下係止具２と同様に、当接部４、側壁５ａ、５ｂ、カバー係止用ネジ孔５ｃ、扉底側係止部６、上連結部１７を備えるものである。一方の側壁５ａにはカバー係止用ネジ孔５ｃが開口されている。上連結部１７は、上板部７とガイド部８とガイド部８の幅方向両端から扉Ｂ側に折り返されたガイド側壁８ａ、８ｂとから構成されている。側壁５ａ、５ｂは扉Ｂ（図１７（ａ））と反対側（手前側）にコ字状に折り返されている。前記ガイド側壁８ａ、８ｂには固定孔（丸孔）６３が開口され、ガイド側壁８ａ、８ｂの内面で固定孔６３の周囲に固定具６４を溶接により固定してある。
【００４７】
前記下係止具２と上係止具３は、下係止具２のガイド部８及びガイド側壁８ａ、８ｂを上係止具３のガイド部１２ｄ及び側方ガイド部１２ｅ、１２ｆの内側に収容配置し、上係止具３のスライド孔（長穴）６２から下係止具２のガイド部１２ｄのガイド側壁８ａ、８ｂの固定孔６３に固定ネジ６１をネジ込んで、前記側方ガイド部１２ｅとガイド側壁８ａ、側方ガイド部１２ｆとガイド側壁８ｂを連結し、固定ネジ６１を緩めることにより下係止具２と上係止具３が相互に上下にスライドできるようにしてある。
【００４８】
（図１７、図１８に示す扉カバー取付け治具の扉への取付け）
下係止具２と上係止具３を前記のようにスライド可能に連結することにより、固定ネジ６１を緩めて上係止具３を上方にスライドさせることによって、下係止具２と上係止具３の連結部の間隔を広げて、下係止具の扉底側係止部６と上係止具３の扉天井側係止部１１の間の寸法を長くすることができ、上係止具３を下係止具２側にスライドさせて下係止具２と上係止具３の連結部の間隔を狭くして、下係止具の扉底側係止部６と上係止具３の扉天井側係止部１１の間の寸法を短くすることで、扉底側係止部６と扉天井側係止部１１に扉の底と天井を挟着保持でき、その挟着状態で固定ネジ６１を締め付けることにより、扉Ｂに扉カバー取付け治具１を取り付ける（固定する）ことができる。
【００４９】
（扉カバー取付け治具の他の実施例：図１９、図２０）
図１９（ａ）、（ｂ）及び図２０（ａ）、（ｂ）に示す扉カバー取付け治具１は、扉カバー取付け治具１の正面側から挿入した固定ネジ６１を方形ナット状の固定具６４にねじ込んで締め付けることにより下係止具２と上係止具３とを連結し、固定ネジ６１の締付けを緩めることにより下係止具２と上係止具３を上下にスライド可能としたものである。
【００５０】
前記上係止具３は、図８に示す上係止具３と同様の扉天井側係止部１１、支持部１２、支持側壁１２ａ、１２ｂ、係止片１３、及び下連結部１６を備えるものである。下連結部１６は、支持下板１２ｃ、ガイド部１２ｄ、及びガイド部１２ｄの幅方向両側から扉Ｂ（図１９（ａ））側にコ字状に折り返された側方ガイド部１２ｅ、１２ｆとから構成される。ガイド部１２ｄは支持下板１２ｃの横幅の半分程度の幅であり、一方の支持側壁１２ａ寄りに設けられている。が形成され、ガイド部１２ｄには前記固定ネジ６１を挿通するための固定孔（丸孔）６３が開口されている。
【００５１】
前記下係止具２は、図７に示す下係止具２と同様に、当接部４、側壁５ａ、５ｂ、カバー係止用ネジ孔５ｃ、扉底側係止部６、上連結部１７を備えるものである。上連結部１７は、上板部７とガイド部８とから構成される。ガイド部８の中央部分には、縦長のスライド孔６２が設けられている。ガイド部８の内壁にはネジ孔のある方形の固定具６４が溶接により固定されている。固定具６４としては既存のナット、ネジ孔付き駒等を用いることができる。
【００５２】
前記下係止具２と上係止具３は、下係止具２のガイド部８を上係止具３のガイド部１２ｄ及び側方ガイド部１２ｅ、１２ｆの内側に収容配置し、上係止具３の固定孔（丸穴）６３から下係止具２のガイド部１２ｄのスライド孔６２に固定ネジ６１をネジ込んで前記両ガイド部８、１２ｄを連結し、固定ネジ６１を緩めることにより下係止具２と上係止具３が相互に上下にスライドできるようにしてある。
【００５３】
（図１９、図２０に示す扉カバー取付け治具の扉への取付け）
下係止具２と上係止具３を前記のようにスライド可能に連結することにより、固定ネジ６１を緩めて上係止具３を上方にスライドさせることによって、下係止具２と上係止具３の連結部の間隔を広げて、下係止具の扉底側係止部６と上係止具３の扉天井側係止部１１の間の寸法を長くすることができ、上係止具３を下係止具２側にスライドさせて下係止具２と上係止具３の連結部の間隔を狭くして、下係止具の扉底側係止部６と上係止具３の扉天井側係止部１１の間の寸法を短くすることで、扉底側係止部６と扉天井側係止部１１とで扉Ｂを挟着保持でき、その挟着状態で固定ネジ６１を締め付けることにより、扉Ｂに扉カバー取付け治具１を固定することができる。
【００５４】
（扉カバー取付け治具の実施例：図２１、２２）
図２１（ａ）、（ｂ）及び図２２（ａ）、（ｂ）に示す扉カバー取付け治具１は、下係止具２と上係止具３を、扉Ｂの上下方向に空間Ｗをあけて配置し、下係止具２の上連結部１７と上係止具３の下連結部１６をネジ６５で連結したものである。上係止具３の支持下板１２ｃの裏面側には２本の棒状又はパイプ状の案内具６６が突設され、その２本の案内具６６の間にはネジ６５を挿通可能な貫通孔１４が形成されている。下係止具２の上板部７の中央部分には、前記ネジ６５を螺合可能なバーリングネジ６７が、その両側には前記案内具６６を挿通可能なガイド孔６８が形成されている。上係止具３と下係止具２とを上下に配置した状態で、上係止具３の案内具６６を下係止具２のガイド孔６８に挿通し、上係止具３の貫通孔１４上方から挿入したネジ６５を下係止具２のバーリングネジ６７にねじ込むことによって、上係止具３と下係止具２を連結できるようにしてある。
【００５５】
（図２１、図２２に示す扉カバー取付け治具の扉への取付け）
図２１に示す扉カバー取付け治具１は、ネジ６５を締め付けると上連結部１７の上板部７と下連結部１６の支持下板１２ｃが互いに接近して上連結部１７と下連結部１６の間の空間Ｗが狭くなって、扉底側係止部６と扉Ｂの天井面Ｄ側に係止した扉天井側係止部１１の間の長さが短くなり、その扉底側係止部６と扉天井側係止部１１により扉Ｂが上下から挟着保持される。前記挟着保持状態から図２２に示すネジ６５を緩めると、上連結部１７と下連結部１６が離れた上連結部１７と下連結部１６の間の空間Ｗが広くなって、自動販売機の扉Ｂの底側に係止した扉底側係止部６と扉Ｂの天井側に係止した扉天井側係止部１１の間の長さが長くなって、その扉底側係止部６と扉天井側係止部１１による扉Ｂの挟着保持が解除される。
【００５６】
（扉カバー取付け治具の他の実施例）
図示した下係止具２と上係止具３の連結位置は扉Ｂの天井寄りの位置にしてあるが、連結位置は扉Ｂに取り付ける際に作業者の目線の高さとなるように、下係止具２と上係止具３の長さを設計することもできる。
【００５７】
（扉カバーの取付け例２：図１３、図１４）
図１３（ａ）、（ｂ）及び図１４（ａ）、（ｂ）に示す扉カバー取付け治具１を用いて自動販売機に扉カバーＣを取り付ける場合、例えば次のように行う。
（１）下係止具２と上係止具３の間に自動販売機の扉Ｂが収まるよう、連結ネジ１５を緩めて下係止具２の扉底側係止部６と上係止具３の扉天井側係止部１１の間隔を、扉Ｂの底面から天井面Ｄまでの距離よりも長くする。
（２）上係止具３の扉天井側係止部１１を扉Ｂの天井面Ｄに係止する。
（３）下係止具２の扉底側係止部６が扉Ｂの底面に位置するよう、下係止具２を扉Ｂ側に押さえる。
（４）連結ネジ１５を締め付けて下係止具２と上係止具３を接近させ、下係止具２の扉底側係止部６を扉Ｂの底面に係止させる。これにより、扉カバー取付け治具１が扉Ｂに固定される。
（５）扉Ｂに固定された扉カバー取付け治具１に、前記扉カバーの取付け例１（４）及び（５）の要領で扉カバーＣを固定する。
【００５８】
（扉カバーの取付け例３：図１５、図１６）
図１５（ａ）、（ｂ）及び図１６（ａ）、（ｂ）に示す扉カバー取付け治具１を用いて自動販売機に扉カバーＣを取り付ける場合、例えば次のように行う。
（１）上係止具３の扉天井側係止部１１を扉Ｂの天井面Ｄに係止する。
（２）下係止具２を下方に向けて引っ張り、下係止具２の扉底側係止部６が扉Ｂの底面に位置するよう位置合わせを行う。
（３）この状態で下係止具２の引っ張りを解除する。下係止具２の引っ張りを解除すると上バネ５０ａと下バネ５０ｂの復元力で下係止具２が元の位置まで復帰し、下係止具２の扉底側係止部６が扉Ｂの底面に係止されて、扉カバー取付け治具１が扉Ｂに固定される。
（４）扉Ｂに固定された扉カバー取付け治具１に、前記扉カバーの取付け例１（４）及び（５）の要領で扉カバーＣを固定する。
【００５９】
（扉カバーの取付け例４：図１７、図１８）
図１７（ａ）、（ｂ）及び図１８（ａ）、（ｂ）に示す扉カバー取付け治具１を用いて自動販売機に扉カバーＣを取り付ける場合、例えば次のように行う。
（１）下係止具２の扉底側係止部６と上係止具３の扉天井側係止部１１の間に自動販売機の扉Ｂが収まるよう、側方ガイド部１２ｅ、１２ｆの外側から挿通した固定ネジ６１を緩めて上係止具３を上方にスライドさせる。
（２）上係止具３の扉天井側係止部１１を扉Ｂの天井面Ｄに係止する。
（３）下係止具２を上方にスライドさせて上係止具３側に接近させ、下係止具２の扉底側係止部６を扉Ｂの底面に係止する。
（４）この状態で固定ネジ６１を締め付け、扉カバー取付け治具１を扉Ｂに固定する。
（５）扉Ｂに固定された扉カバー取付け治具１に、前記扉カバーの取付け例１（４）及び（５）の要領で扉カバーＣを固定する。
【００６０】
（扉カバーの取付け例５：図１９、図２０）
図１９（ａ）、（ｂ）及び図２０（ａ）、（ｂ）に示す扉カバー取付け治具１を用いて自動販売機に扉カバーＣを取り付ける場合、例えば次のように行う。
（１）下係止具２の扉底側係止部６と上係止具３の扉天井側係止部１１の間に自動販売機の扉Ｂが収まるよう、ガイド部８の外側から挿通した固定ネジ６１を緩めて上係止具３を上方にスライドさせる。
（２）上係止具３の扉天井側係止部１１を扉Ｂの天井面Ｄに係止する。
（３）下係止具２を上方にスライドさせて下係止具２を上係止具３側に接近させ、下係止具２の扉底側係止部６を扉Ｂの底面に係止する。
（４）この状態で両側の固定ネジ６１を締め付け、扉カバー取付け治具１を扉Ｂに固定する。
【００６１】
（扉カバーの取付け例６：図２１、図２２）
（１）上係止具３の貫通孔１４の上方から下係止具２のバーリングネジ６７にねじ込まれたネジ６５を緩めて、下係止具２の扉底側係止部６と上係止具３の扉天井側係止部１１の間に自動販売機の扉Ｂが収まるよう間隔調整を行う。
（２）間隔調整を行った後、上係止具３の扉天井側係止部１１を扉Ｂの天井面Ｄに係止する。
（３）上係止具３の貫通孔１４上方から挿入したネジ６５を締め付け、下係止具２を上方に引き上げて扉底側係止部６を扉Ｂの底面に係止する。これにより、扉カバー取付け治具１が扉Ｂに固定される。
（５）扉Ｂに固定された扉カバー取付け治具１に、前記扉カバーの取付け例１（４）及び（５）の要領で扉カバーＣを固定する。
【００６２】
図１３〜図２２に記載の扉カバー取付け治具の取付け例は、いずれも、先に上係止具３の扉天井側係止部１１を扉Ｂの天井面Ｄに係止し、その後に下係止具２の扉底側係止部６を扉Ｂの底面に係止する場合であるが、この手順は逆にすることもできる。
【産業上の利用可能性】
【００６３】
前述の実施形態は自動販売機を一例として説明したが、本願発明の扉カバー取付け治具、本体カバー取付け治具は自動販売機に限らず、冷蔵庫やショーケースといった物品収容体に取り付けて使用することができ、開閉式の扉を備えた物品収容体においては、扉と物品収容体の本体側面の夫々に別々のカバーを取り付けることができる。
【符号の説明】
【００６４】
１      扉カバー取付け治具
２      下係止具
３      上係止具
４      当接部
５ａ    側壁
５ｂ    側壁
５ｃ    カバー係止用ネジ孔
６      扉底側係止部
７      上板部
８      ガイド部
８ａ    ガイド側壁
８ｂ    ガイド側壁
９      ネジ孔
１０    貫通孔
１１    扉天井側係止部
１２    支持部
１２ａ  支持側壁
１２ｂ  支持側壁
１２ｃ  支持下板
１２ｄ  ガイド部
１２ｅ  側方ガイド部
１２ｆ  側方ガイド部
１２ｇ  下板
１３    係止片
１４    貫通孔
１５    連結ネジ
１６    下連結部
１７    上連結部
２０    扉カバー補助具
２２    扉奥面係止部
２３    カバー係止部
２４    カバー係止用ネジ孔
２６    扉天井係止部
４０    本体カバー取付け治具
４１    架設具
４１ａ  カバー当接部
４１ｂ  側壁
４１ｃ  側壁
４２    固定具
４２ａ  固定具補助材
４３    ネジ孔
４４    本体底側係止部
４４ａ  架設補助材
４５    本体天井側係止部
４５ａ  当て板
４５ｂ  側壁
４５ｃ  側壁
４６    ネジ孔
４７    薄板
４８    ボルト受部
４９    ボルト
５０    バネ
５０ａ  上バネ
５０ｂ  下バネ
５１    上側バネ受け
５２    下側バネ受け
５３    ナット
５４    ガイドボルト
５４ａ  ネジ部
５５    固定ナット
５６    挿通孔
５７    上バネ受け具
５８    下バネ下側受け具
５９    挿通孔
６０    下バネ上側受け具
６１    固定ネジ
６２    スライド孔
６３    固定孔
６４    固定具
６５    ネジ
６６    案内具
６７    バーリングネジ
６８    ガイド孔
Ａ      本体
Ｂ      扉
Ｃ      扉カバー
Ｄ      天井面
Ｅ      開閉側側面
Ｆ      貫通孔
Ｇ      ネジ
Ｈ      側面
Ｊ      排熱部
Ｋ      天井被覆部
Ｌ      側面被覆部
Ｍ      側面被覆部
Ｎ      下部
Ｏ      商品展示窓
Ｐ      釣銭取出し口
Ｑ      精算部
Ｒ      商品取出し口
Ｓ      本体カバー
Ｔ      広告表示部
Ｕ      施錠部
Ｖ      周縁被覆部
Ｗ      空間
Ｘ      収容空間
【図１】
2011090709.tif 000003
【図２】
2011090709.tif 000004
【図３】
2011090709.tif 000005
【図４】
2011090709.tif 000006
【図５】
2011090709.tif 000007
【図６】
2011090709.tif 000008
【図７】
2011090709.tif 000009
【図８】
2011090709.tif 000010
【図９】
2011090709.tif 000011
【図１０】
2011090709.tif 000012
【図１１】
2011090709.tif 000013
【図１２】
2011090709.tif 000014
【図１３】
2011090709.tif 000015
【図１４】
2011090709.tif 000016
【図１５】
2011090709.tif 000017
【図１６】
2011090709.tif 000018
【図１７】
2011090709.tif 000019
【図１８】
2011090709.tif 000020
【図１９】
2011090709.tif 000021
【図２０】
2011090709.tif 000022
【図２１】
2011090709.tif 000023
【図２２】
2011090709.tif 000024